(57)【要約】【課題】  水や湿気による屋根面や屋上面の劣化を防止して屋根面や屋上面が元々有する排水機能を発揮させると共に、プランターの風のあおりによる飛散も防止できる簡単な構成の緑化屋根を提供する。【解決手段】  屋根面１又は屋上面２に長尺の緑化下地材３を所定間隔をあけて複数本載置する。隣接する緑化下地材３の間にプランター４を吊持してプランター４の底面と屋根面１又は屋上面２との間に空間６を形成する。緑化下地材３にカバー材５を被着する。カバー材５と緑化下地材３の側面とでプランター４の側面壁３８を挟持する。【選択図】        図１
2007129958.tif 000002
【特許請求の範囲】
【請求項１】
屋根面又は屋上面に長尺の緑化下地材を所定間隔をあけて複数本載置し、隣接する緑化下地材の間にプランターを吊持してプランターの底面と屋根面又は屋上面との間に空間を形成し、緑化下地材にカバー材を被着し、このカバー材と緑化下地材の側面とでプランターの側壁を挟持したことを特徴とする緑化屋根。
【請求項２】
上記緑化下地材を、屋根面又は屋上面に載置した長尺の第１緑化下地材と、第１緑化下地材に略直交するように架け渡した長尺の第２緑化下地材とで構成したことを特徴とする請求項１記載の緑化屋根。
【請求項３】
上記プランターの底面と屋根面又は屋上面との間に形成された空間に、植物への水遣りに用いる給水管を配管したことを特徴とする請求項１記載の緑化屋根。
【請求項４】
屋根面を構成した屋根材と緑化下地材との間に取付具を介在し、取付具の一端に設けた屋根材挟持部で屋根材を挟持すると共に、取付具の他端に設けた下地材固定部に緑化下地材を固着したことを特徴とする請求項１または２記載の緑化屋根。
【請求項５】
プランターにユニット状の土壌部材を収納し、この土壌部材をカバー材で下方に抑え付けたことを特徴とする請求項１乃至３のいずれか記載の緑化屋根。
【発明の詳細な説明】
【技術分野】
【０００１】
本発明は、緑化屋根に関するものである。
【背景技術】
【０００２】
近年、ヒートアイランド現象に対する都市環境の改善を目的として、建築物の屋根又は屋上の緑化が注目されており、様々な屋上緑化技術が提案されている。たとえば特許文献１には屋根面上に土壌層を積層してこの土壌層に植栽を行う技術が開示されており、また特許文献２，３には屋根面又は屋上面にプランターを載設してこのプランターに収納した土壌に植栽を行う技術が開示されている。
【特許文献１】特開２００４−８９０９０号公報
【特許文献２】特開２００４−１７４７５９３号公報
【特許文献３】特開２００２−２９１３２８号公報
【発明の開示】
【発明が解決しようとする課題】
【０００３】
しかしながら、上記特許文献１乃至３のような屋根材上に土壌や土壌の収納されたプランターを載置するようなものは、屋根材の排水性能が発揮されずに湿潤状態の土壌が常に存在することとなるから、屋根材が腐食して劣化する恐れがあると共に良好な通気性を確保できず植物の育成上も好ましいものではない。また、植物ヘの水遣りのための給水管は緑化屋根の美観のために土壌内に隠して配管することもしばしば行われているが、植物の根が給水管に絡んだりして劣化の恐れが強いと共に、給水管のメンテナンスも簡単には行うことができない。また、特許文献２のように屋上面にプランターを置くようなものは風によるあおりを受けてプランターが倒れたり飛散したりする恐れがある。なお、たとえば特許文献３のようにプランターを屋根面を構成した屋根材にビスで固定すればプランターの飛散の恐れを解消できるが、屋根材にビスを打入することは屋根に穴をあけることであって屋根材の防水性能を破壊してしまうものであって好ましいものではない。
【０００４】
本発明は上記の従来の問題点に鑑みて為したものであって、水や湿気による屋根面や屋上面の劣化を防止して屋根面や屋上面が元々有する排水機能を発揮させると共に、プランターの風のあおりによる飛散も防止できる簡単な構成の緑化屋根を提供することを課題とするものである。
【課題を解決するための手段】
【０００５】
上記課題を解決するために本発明の請求項１に係る緑化屋根は、屋根面１又は屋上面２に長尺の緑化下地材３を所定間隔をあけて複数本載置し、隣接する緑化下地材３の間にプランター４を吊持してプランター４の底面と屋根面１又は屋上面２との間に空間６を形成し、緑化下地材３にカバー材５を被着し、このカバー材５と緑化下地材３の側面とでプランター４の側面壁３８を挟持したことを特徴とする。これによると、屋根面１又は屋上面２に長尺の緑化下地材３を所定の間隔をあけて複数本載置し、隣接する緑化下地材３の間にプランター４を吊持してプランター４の底面と屋根面１又は屋上面２との間に空間６を形成したので、この空間６を、水を流す排水空間や湿気を逃がす通気空間や植物への水遣りに用いる給水管７の配管空間などに利用することができるのであって有用であり、また、緑化下地材３にカバー材５を被着し、このカバー材５と緑化下地材３の側面とでプランター４の側面壁３８を挟持したので、上記空間６を抜ける風のあおりを受けたプランター４をカバー材５で抑えることができ、緑化屋根の破壊を回避することができる。すなわち、水や湿気による屋根面１や屋上面２の劣化を防止して屋根面１や屋上面２が元々有する排水機能を発揮させると共にプランター４の風のあおりによる飛散も防止でき、更には給水管７を外観に露出させずに緑化屋根に良好な外観を現出すると共に給水管７を上記空間６に露出させて給水管７に良好なメンテナンス性を確保することを図り得る緑化屋根を、簡単な構成で形成できたものである。
【０００６】
また、請求項２に係る緑化屋根は、請求項１において、上記緑化下地材３を、屋根面１又は屋上面２に載置した長尺の第１緑化下地材３ａと、第１緑化下地材３ａに略直交するように架け渡した長尺の第２緑化下地材３ｂとで構成したことを特徴とする。これによると、第１緑化下地材３ａに第２緑化下地材３ｂを架け渡して一体化して剛性強度を向上させた緑化下地材３を緑化屋根の略全面に亙るように配設できるのであり、また、略直交に交差する第１緑化下地材３ａと第２緑化下地材３ｂとによって、プランター４を配設する緑化下地材３の間の空間を上面視矩形状の空間に区分けすることができ、この上面視矩形状の空間にプランター４を位置決めして配設することができる。
【０００７】
また、請求項３に係る緑化屋根は、請求項１において、上記プランター４の底面と屋根面１又は屋上面２との間に形成された空間６に、植物への水遣りに用いる給水管７を配管したことを特徴とする。これによると、敷設されたプランター４にて目隠しがされた状態で給水管７を配管できるのであって、緑化屋根にすっきりとした良好な外観を確保できる。また、上記空間６に配管された給水管７には植物の根が絡み付くこともなくて破損の恐れは無く、また、給水管７は空間６に露出することから良好なメンテナンス性も確保できる。
【０００８】
また、請求項４に係る緑化屋根は、請求項１または２において、屋根面１を構成した屋根材８と緑化下地材３との間に取付具９を介在し、取付具９の一端に設けた屋根材挟持部１０で屋根材８を挟持すると共に、取付具９の他端に設けた下地材固定部１１に緑化下地材３を固着したことを特徴とする。これによると、屋根材８に緑化下地材３を載置するに際し、ネジの打入などで屋根材８に穴を穿つようなことを回避でき、つまり、屋根面１の防水性能を低下させることなく緑化屋根を形成することができるのであって、特に既存の屋根面１または屋上面２に緑化屋根を形成するのに有用である。
【０００９】
また、請求項５に係る緑化屋根は、請求項１乃至３のいずれかにおいて、プランター４にユニット状の土壌部材１２を収納し、この土壌部材１２をカバー材５で下方に抑え付けたことを特徴とする。これによると、プランター４に入れる土壌にはしばしば土に比べて軽量なユニット状の土壌部材１２が用いられるのであって、このユニット状の土壌部材１２は風にあおられると飛散する恐れが強いものであるが、叙述のように緑化下地材３に被着したカバー材５で土壌部材１２を下方に抑え付けたので、土壌部材１２の風による飛散、ひいてはプランター４の風による飛散を回避することができる。
【発明の効果】
【００１０】
本発明は、水や湿気による屋根面や屋上面の劣化を防止して屋根面や屋上面が元々有する排水機能を発揮させると共にプランターの風のあおりによる飛散も防止でき、更には給水管を外観に露出させずに緑化屋根に良好な外観を現出すると共に給水管を上記空間に露出させて給水管に良好なメンテナンス性を確保することを図り得る緑化屋根を、簡単な構成で形成できるといった利点を有する。
【発明を実施するための最良の形態】
【００１１】
以下、本発明を添付図面に示す実施形態に基いて説明する。
【００１２】
図１乃至図８に本発明の実施の形態の例を示す。本例は屋根材８としての折板屋根材８ａを葺設して形成した屋根面１に対して緑化屋根を形成した例である。上記折板屋根材８ａを葺設してなる屋根面１は、図３のように上方に突出する山部１３と下方に凹没する谷部１４とが交互に連続した全体として波状に形成される。詳しくは、本例の折板屋根材８ａは、その幅方向に山部１３と谷部１４とを交互に折曲形成し、山部１３の頂部の両側には内方に凹む引掛凹部１５を形成し、一方の幅方向端部に位置する山部１３の頂部のみに下方に凹没した固着用溝部１６を形成してなる金属製薄板材である。この折板屋根材８ａは、屋根の棟部から軒部に向けて所定の間隔で水平方向に設けられた母屋材１７に屋根材固定用基材１８を介して取り付けられる。屋根材固定用基材１８は、図４のように、屋根材８の各山部１３と同一ピッチの複数の支持山部１９を形成した長尺材であり、母屋材１７の上面にボルト、溶接等により固着されている。折板屋根材８ａの屋根材固定用基材１８への取り付けは、図２のように、折板屋根材８ａの固着用溝部１６と屋根材固定用基材１８の支持山部１９とをボルト２０で固着し、他の折板屋根材８ａの山部１３を屋根材固定用基材１８の支持山部１９にボルト２１で被着した屋根材固定用ピース材２２に対して嵌め込ませることで行われる。このとき、固着用溝部１６には上記ボルト２０の頭部が収納される。隣接する折板屋根材８ａの間では、一方の折板屋根材８ａにおける一方の幅方向端部の山部１３（固着用溝部１６が形成された山部１３）に対して、他方の折板屋根材８ａにおける他方の幅方向端部の山部１３（固着用溝部１６が形成されない山部１３）を被せるようにして嵌め込まれる。ここで、折板屋根材８ａの山部１３の屋根材固定用ピース材２２への嵌め込みは、屋根材固定用ピース材２２に形成された係止片２２ａを引掛凹部１５の内面に係止させることで強固に行われており、また、隣接する折板屋根材８ａの山部１３同士の嵌め込みは、固着用溝部１６を有した山部１３とこの山部１３に被せる山部１３の引掛凹部１５同士を係止することで強固に行われている。このように本例の折板屋根材８ａでは一方の幅方向端部の山部１３のみをボルト２０を用いて母屋材１７に固定させていて他の山部１３では嵌合構造にて母屋材１７に取付けており、つまり折板屋根材８ａに母屋材固定用のボルト２０の挿通孔を極力穿設しないようにしてあり、また上記挿通孔を穿設してもこの挿通孔は隣接する折板屋根材８ａによって被せられるから、屋根面１に強固な防水性能を確保している。
【００１３】
上記屋根面１には複数本の長尺の緑化下地材３が緑化下地材３同士所定間隔をあけるようにしてそれぞれ載置される。本例では上記緑化下地材３は第１緑化下地材３ａと第２緑化下地材３ｂとで構成されている。第１緑化下地材３ａは、主に緑化屋根の荷重を支えるための金属製の型枠材で構成されており、屋根面１には第１緑化下地材３ａ同士所定間隔をあけて複数本載置されている。本例のように折板屋根材８ａからなる屋根は耐荷重性に多少の不安があることから、第１緑化下地材３ａとしては重量の比較的軽い型枠材が用いられる。たとえば本例では、図１のように、上下のフランジ部２３の一端部をウェブ部２４で連結すると共に上下のフランジ部２３の他端部からそれそれリップ部２５を延設してなる断面リップ付きコ字状のチャンネル鋼材を第１緑化下地材３ａに用いている。このような重量の軽い第１緑化下地材３ａは風であおられる恐れがあるため、本例では第１緑化下地材３ａは取付具９を介して屋根材８に載置固定されている。
【００１４】
取付具９は、図７，８のように、その一端に屋根材８を挟持する屋根材挟持部１０が設けられ、他端に第１緑化下地材３ａを固着する下地材固定部１１が設けられている。なお、図７の取付具９は図１，２のように折板屋根材８ａの山部１３に沿って第１緑化下地材３ａを載置固定させるための金具であり、図８（ａ）の取付具９は図８（ｂ）のように折板屋根材８ａの山部１３に略直交に架け渡すように第１緑化下地材３ａを載置固定させるための金具である。詳しくは、取付具９は一対の取付半具９ａ，９ｂで構成されている。一方の取付半具９ａには山部１３の両側の引掛凹部１５のうちの一方の引掛凹部１５ａに引っ掛け係止する爪片２６ａが備えられ、他方の取付半具９ｂには他方の引掛凹部１５ｂに引っ掛け係止する爪片２６ｂが備えられ、各取付半具９ａ，９ｂの対向部２７同士をボルト２８ａとナット２９ｂ等とでなる取付具形成用の締結具２８で締付けて一体化することで、屋根材挟持部１０を構成する両爪片２６ａ，２６ｂによって折板屋根材８ａの山部１３が挟持可能にされている。ここで、図７の取付具９では、対向部２７に第１緑化下地材３ａのウェブ部２４を沿わせて上記締結具２８の締付けによって同時に第１緑化下地材３ａの取付具９への固着も併せて行わせている。つまり、上記対向部２７及び締結具２８が下地材固定部１１を構成している。また、図８の取付具９では、いずれかの取付半具９ａ（９ｂ）に緑化下地材３を固着するための取付片２９を形成し、この取付片２９にウェブ部２４を沿わせた第１緑化下地材３ａをボルト３０ａとナット３０ｂ等とでなる下地固着用の締結具３０で固着させている。なお、上記締結具３０を挿通させる孔３１は上下に長い長孔に形成されており、取付具９への第１緑化下地材３ａの固着が上下方向に調節可能にされている。つまり、上記取付片２９及び締結具３０が下地材固定部１１を構成している。第１緑化下地材３ａの折板屋根材８ａへの載置固定は、図７の取付具９を用いて折板屋根材８ａの山部１３に沿わせて行わせても、図８の取付具９を用いて折板屋根材８ａの山部１３に略直交に架け渡すように行わせてもよいが、本例では前者の取付具９を採用して緑化屋根を形成させている。
【００１５】
第２緑化下地材３ｂは、図５のように、長尺の金属製の型枠材で構成され、上記第１緑化下地材３ａに架け渡すように所定の間隔をあけて複数本載置、固着される。具体的に、第２緑化下地材３ｂは、略水平なプランター支持片３２の幅方向両端から側面片３３をそれぞれ垂下し、側面片３３の下端から幅方向外方に略水平に固定片３４を延出してなる断面ハット型の軽金属製（たとえばアルミニウム製）の型枠材で構成されている。なお、プランター支持片３２の幅方向中央からは被嵌合突条部３５が上方に突設されており、本例の第２緑化下地材３ｂは被嵌合突条部３５も含めて押出し成形にて形成されている。この第２緑化下地材３ｂは、固定片３４を第１緑化下地材３ａの上フランジ部２３に載置させ、上記積層する上フランジ部２３と固定片３４とをボルト３６ａやナット３６ｂ等でなる下地形成用の締結具３６によって固着させている。このように緑化下地材３を、第１緑化下地材３ａに架け渡した第２緑化下地材３ｂとで構成させたことで、第１緑化下地材３ａに第２緑化下地材３ｂを架け渡して一体化して剛性強度を向上させた緑化下地材３を緑化屋根の略全面に亙るように配設することが可能になり、緑化屋根の荷重を緑化下地材３でバランスよく支持することが可能にされている。
【００１６】
図１，２のように、隣接する第２緑化下地材３ｂの間には植栽用のプランター４が複数個並べて配置される。プランター４は、底面壁３７の周縁から側面壁３８が立設して上方に開口せる土壌収納部４ａが形成されると共に、この側面壁３８の上端部に側外方へ延出したフランジ壁３９が形成された上面視矩形状の樹脂製容器である。このプランター４は、第２緑化下地材３ｂの長手方向に略平行な両フランジ壁３９を隣接する第２緑化下地材３ｂの各プランター支持片３２にそれぞれ引っ掛けることで、第２緑化下地材３ｂへの吊持が行われている。このようにプランター４は第２緑化下地材３ｂに吊持されているので、プランター４の底面と屋根面１との間には空間６が形成されている。加えて本例では、第２緑化下地材３ｂの側面片３３の上下高さがプランター４の上下高さよりも長く形成されており、第２緑化下地材３ｂに吊持させたプランター４の底面が第１緑化下地材３ａに接地しないようにもされている。
【００１７】
第２緑化下地材３ｂにはカバー材５が被着される。カバー材５は、図６のように、略水平な上面部４１の幅方向両端から側面部４２をそれぞれ垂下してなる軽金属製（たとえばアルミニウム製）の型枠材で構成されている。なお、側面部４２の下端には幅方向内方に斜め下方に向けて押さえ部４３が延設されており、また、上面部４１の幅方向中央から嵌合突条部４４が上方に突設されている。本例のカバー材５は押さえ部４３及び嵌合突条部４４も含めて押出し成形にて形成されている。このカバー材５を第２緑化下地材３ｂに被着するには、カバー材５の嵌合突条部４４を第２緑化下地材３ｂの被嵌合突条部３５に上方から無理嵌めすることで行われる。カバー材５を第２緑化下地材３ｂに被着したときには、カバー材５の上面部４１と第２緑化下地材３ｂのプランター支持片３２との間にプランター４のフランジ壁３９が位置すると共に、カバー材５の側面部４２と第２緑化下地材３ｂの側面片３３との間にプランター４の側面壁３８が位置するのであってカバー材５の押さえ部４３の先端４３ａがプランター４の側面壁３８を第２緑化下地材３ｂの側面片３３に向けて押圧している。つまり、カバー材５の上面部４１でプランター４のフランジ壁３９を上方から覆って目隠しされると共に、カバー材５の側面部４２と第２緑化下地材３ｂの側面片３３とでプランター４の側面壁３８が挟持された状態にされている。なお、カバー材５は、第２緑化下地材３ｂの長手方向にたとえばプランター４毎に被着させてもよいが、本例では図１，２のように第２緑化下地材３ｂの長手方向に略亙るように被着させている。この場合、嵌合突条部４４の被嵌合突条部３５への無理嵌め長さを長く採ることができて、カバー材５の第２緑化下地材３ｂへの高い被着強度を確保できる利点がある。またこの場合にはカバー材５は第２緑化下地材３ｂの長手方向に亙るような長尺に形成されるのであるが、カバー材５の側面部４２には第２緑化下地材３ｂの長手方向に略直交するプランター４の側面壁３８及びフランジ壁３９を回避するための切欠４０が設けられている。
【００１８】
叙述のように本例の緑化屋根は、屋根面１に長尺の緑化下地材３を所定の間隔をあけて複数本載置し、隣接する緑化下地材３の間にプランター４を吊持したことで、図１，２のように、プランター４の底面と屋根面１との間に空間６を形成させている。この空間６は、水を流す排水空間や湿気を逃がす通気空間や植物への水遣りに用いる給水管７の配管空間に利用できて有用である。
【００１９】
つまり、従来の緑化屋根では屋根面１に土壌や土壌を収納したプランター４を直接載置することが行われていてこの場合には降雨や植物への水遣りに用いた水がスムーズに排水されずに土壌に不必要に長く保持されてしまい、したがって屋根面１には湿潤状態の土壌が常に存在することとなって屋根面１を傷める恐れが強いものであったが、本例の緑化屋根では上記プランター４の底面と屋根面１との間に形成した空間６が、屋根面１が元々有する排水機能を発揮させるための排水空間となっており、水による屋根面１の劣化を防止できたものである。更に言うと、上記プランター４の底面と屋根面１との間の空間６は、通気可能であるからすなわち湿気を逃がす通気空間ともなるのであって、湿気による屋根面１の劣化をも防止できたものである。また、屋根面１に土壌やプランター４を直接載置した従来の緑化屋根では土壌に良好な通気性を確保できずに植物の良好な育成環境を確保できないものであったが、本例の緑化屋根では上記通気空間となるプランター４の底面と屋根面１との間の空間６によって土壌に良好な通気性を確保できて植物の良好な育成環境を確保できる利点も有している。
【００２０】
なお、上記のようにプランター４の底面と屋根面１との間の空間６が通気空間となると、この空間６に風が吹き抜けることでプランター４はこの風のあおりを受けて飛散してしまう恐れもあるのであるが、本例では上述のようにカバー材５の上面部４１でプランター４のフランジ壁３９を上方から覆うと共にカバー材５の側面部４２と第２緑化下地材３ｂの側面片３３とでプランター４の側面壁３８が挟持された状態にされているから、つまりカバー材５でプランター４を抑えることができたものであり、上記空間６を抜ける風のあおりを受けたプランター４の飛散をカバー材５で抑えることができて緑化屋根の破壊が回避されているのである。
【００２１】
また、本例の緑化屋根では、図１のように、上記プランター４の底面と屋根面１との間の空間６に植物への水遣りに用いる給水管７を配管している。ここで、上記プランター４の底面と屋根面１との間の空間６はプランター４によって目隠しがされた空間６であるから、この空間６に配管された給水管７は外観に現出されずに、緑化屋根にすっきりとした良好な外観を確保できるのである。また、上記空間６に配管された給水管７は、従来の土壌内に配管した給水管７のように植物の根が絡む等による破損も回避できるのは勿論のこと、周りを土壌で覆われずにメンテナンスも容易に行うこともできる。なお詳しくは、本例では図１のように、第２緑化下地材３ｂの被嵌合突条部３５及びカバー材５の嵌合突条部４４にそれぞれ給水管挿通孔４５が穿設されており、上記空間６に配管された給水管７の先端が給水管挿通孔４５から緑化屋根の上面に臨み、この給水管７の先端に装着したスプリンクラー装置７ａによってプランター４の植物への適当な水遣りが可能にされている。
【００２２】
すなわち、本例の緑化屋根においては、屋根面１に長尺の緑化下地材３を所定間隔をあけて複数本載置し、隣接する緑化下地材３の間にプランター４を吊持してプランター４の底面と屋根面１又は屋上面２との間に空間６を形成し、緑化下地材３にカバー材５を被着してこのカバー材５と緑化下地材３の側面とでプランター４の側面壁３８を挟持するという簡単な構成によって、上記プランター４の底面と屋根面１との間の空間６を排水空間や通気空間として利用して屋根面１を劣化させずに元々の排水機能をそのまま維持、発揮させることができたものであり、また、上記プランター４の底面と屋根面１との間の空間６が通気空間となることで生じるプランター４の風のあおりによる飛散の恐れも解消できたものであり、また、上記プランター４の底面と屋根面１との間の空間６を給水管７の配管空間として利用したことで、緑化屋根に良好な外観を現出できると共に給水管７の良好なメンテナンスも可能にできたものである。更に言うと、本例では屋根面１が山部１３と谷部１４とが交互に連続する折板屋根材８ａで構成されているので、上記プランター４の底面と屋根面１との間の空間６にあっては折板屋根材８ａの谷部１４が構成する屋根面１の部位とプランター４の底面との間に特に大きな空間６が形成されるのであるから、上記プランター４の底面と屋根面１との間の空間６が、通気性の良好な通気空間となると共に、広い空間での給水管７の配管施工やメンテナンス作業が可能になって更に良好な給水管７の配管施工の施工性やメンテナンス作業の作業性を確保できたものである。
【００２３】
また、本例の緑化屋根では、プランター４に収納する土壌として、通常の土を用いることもできるのであるが、通常の土に比べて軽量なユニット状の土壌部材１２が用いられている。ここで、ユニット状の土壌部材１２とは、土壌収納部４ａの容積と略同じ大きさの不織布などの保水用部材をいう。そして、本例では、図１のように、カバー材５の押さえ部４３の斜め下方に面する押圧面４３ａで土壌部材１２を下方に抑え付けている。ユニット状の土壌部材１２は風にあおられると飛散する恐れが強いものであるが、叙述のように緑化下地材３に被着したカバー材５で土壌部材１２を下方に抑え付けているので、土壌部材１２の風による飛散も防止されている。なお、土壌部材１２の下方に抑え付けによっては、土壌部材１２を介して同時にプランター４の風による飛散をも回避できるのは言うまでもない。
【００２４】
また、本例の緑化屋根では、屋根面１を構成した屋根材８への緑化下地材３の載置にあっては、屋根材挟持部１０にて屋根材８に取付けた取付具９に第１緑化下地材３ａを固着することで行わせており、つまり、屋根材８に緑化下地材３を載設するに際して緑化下地材３を固定させるためにネジの打入などで屋根材８に穴を穿つようなことが回避されており、屋根面１の防水性能を低下させることない緑化屋根の形成が図られているのである。したがって、緑化屋根の形成施工に伴って屋根面１の防水施工が別途必要になることもなく、緑化屋根の施工に良好な施工性を確保できたものであり、特に既存の屋根面１に緑化屋根を形成するのに有用である。そして、屋根材８に緑化下地材３を固定させるためにネジの打入などで屋根材８に穴を穿つようなこともないから、屋根材８の再利用も図り得るといった利点もある。
【００２５】
また、図９及び図１０には本発明の実施の形態の他例を示す。この例は建物の屋上面２（陸屋根の屋根面）に緑化屋根を形成した例である。便宜上、先の実施の形態の例と同様部位については同番号を付して説明を省き、異なる部分のみを説明する。建物の屋上面２はコンクリートスラブなどで構成されていて先の折板屋根材８ａに比べて耐荷重性に優れているので、第１緑化下地材３ａには自重で風圧に耐えられる程の重量のある金属製の型枠材が用いられると共に、第１緑化下地材３ａは屋上面２に単に置くようにして載置されている。つまり、先の実施に形態の例に比べて取付具９を用いずに緑化下地材３を屋上面２に載置させているから、構成を簡略にできると共にその施工性も向上している。具体的に、本例の第１緑化下地材３ａには上面部４６、下面部４７及び一対の側面部４８とで成る縦断面矩形状のチャンネル鋼材が用いられており、この第１緑化下地材３ａは硬質樹脂製の板材でなるスペーサ材４９を介して屋上面２に載置されている。ここで、スペーサ材４９は第１緑化下地材３ａの長手方向に間隔をあけて複数個配設されている。つまり、スペーサ材４９の間における第１緑化下地材３ａの下面部４７と屋上面２との間には隙間ｓが形成されており、屋上面２を伝う水がこの隙間を介して流れることが可能になっているから、屋上面２が元々有する排水機能の発揮を妨げてしまうことが回避されている。本例の緑化屋根においても、上記プランター４の底面と屋上面２との間に空間６を形成でき、この空間６を先の実施の形態の例と同様、水を流す排水空間や湿気を逃がす通気空間や植物への水遣りに用いる給水管７の配管空間などに利用することができると共に、上記空間６を抜ける風のあおりを受けたプランター４もカバー材５で抑えることができる。しかも、耐荷重性のあるコンクリートスラブで構成された屋上面２に緑化屋根を形成したことで、緑化下地材３には風圧にも動じない重量のある金属製の型枠材を用いると共にこの緑化下地材３は屋上面２に固着を行わずに単に載置させることで済むことから、緑化屋根の構成の更なる簡略化を図ることができたものである。
【００２６】
上記実施形態では、上記緑化下地材３を第１緑化下地材３ａと第２緑化下地材３ｂとで構成しているが、下面を屋根面１または屋上面２に載置させると共に上面にプランター４を吊持させる単一の長尺材によって構成させてもよい。また、上記実施形態では、第１緑化下地材３ａと第２緑化下地材３ｂとを略直交に架け渡しているから、緑化下地材３の間のプランター４の配設空間を上面視矩形状の小空間に区分けすることができたものであり、したがって、第１緑化下地材３ａの高さ寸法より長い高さ寸法を有したプランター４を用いた場合には、このプランター４を上記小空間に位置決めして配設することができ、つまり位置ずれを抑制した状態でプランター４を配設できるといった利点もある。
【図面の簡単な説明】
【００２７】
【図１】本発明の実施の形態の例の緑化屋根の斜視図である。
【図２】同上の緑化屋根の側断面図である。
【図３】同上の屋根材の斜視図である。
【図４】同上の屋根材の下地部分の斜視図である。
【図５】同上の第２緑化下地材の斜視図である。
【図６】同上のカバー材の斜視図である。
【図７】同上に用いる取付具の分解斜視図である。
【図８】（ａ）は取付具の他例の分解斜視図であり、（ｂ）は（ａ）の取付具を用いて緑化下地材を載置固定した状態の斜視図である。
【図９】本発明の実施の形態の他例の緑化屋根の斜視図である。
【図１０】同上の緑化屋根の側断面図である。
【符号の説明】
【００２８】
１  屋根面
２  屋上面
３  緑化下地材
３ａ  第１緑化下地材
３ｂ  第２緑化下地材
４  プランター
５  カバー材
６  空間
７  給水管
８  屋根材
９  取付具
１０  屋根材挟持部
１１  下地材固定部
１２  土壌部材
【図１】
2007129958.tif 000003
【図２】
2007129958.tif 000004
【図３】
2007129958.tif 000005
【図４】
2007129958.tif 000006
【図５】
2007129958.tif 000007
【図６】
2007129958.tif 000008
【図７】
2007129958.tif 000009
【図８】
2007129958.tif 000010
【図９】
2007129958.tif 000011
【図１０】
2007129958.tif 000012